(57)【要約】【課題】  妊婦にとって歩きやすい靴の靴底を提供する。【解決手段】  妊婦用靴の靴底１０は、靴底１０の中足骨アーチから足根部の横アーチに対応する部分に設けられ、踵側からつま先側へ延びる第１補強帯部１７と、第１補強帯部１７に対して間隔を開けて、中足骨アーチからつま先側に設けられた第２補強帯部１８とを含む。【選択図】      図１
2007044427.tif 000002
【特許請求の範囲】
【請求項１】
靴底の中足骨アーチから足根部の横アーチに対応する部分に設けられた第１補強帯部と、
前記第１補強帯部に対して間隔を開けて、前記中足骨アーチからつま先側に設けられた第２補強帯部とを含み、
前記第１および第２補強帯部は踵側からつま先側へ延びる、靴底。
【請求項２】
前記第１補強帯部は靴の内側面から外側面に向けて延在し、
前記第２補強帯部は靴の外側面から内側面に向けて延在する、請求項１に記載の靴底。
【請求項３】
前記第１補強帯部は前記第２補強帯部に対して、靴の外側に設けられる、請求項１または２に記載の靴底。
【請求項４】
靴底は前記第２補強帯部が設けられる先端部と、踵部と、前記先端部と前記踵との間に設けられた中央部とを含み、
前記中央部の前記第１補強帯部の外側は、それ以外の部分よりも滑りにくい材質で形成される、請求項１から３のいずれかに記載の靴底。
【請求項５】
靴底には、中足骨アーチに沿った溝が設けられている、請求項１から４のいずれかに記載の靴底。
【請求項６】
靴底の足の載置部には、中足骨アーチに沿った溝が設けられている、請求項１から５のいずれかに記載の靴底。
【請求項７】
靴底の踵側の高さは、つま先側の高さより２０ｍｍ高い、請求項１から６のいずれかに記載の靴底。
【発明の詳細な説明】
【技術分野】
【０００１】
この発明は靴底に関し、特に、妊婦にとって履きやすい靴の靴底に関する。
【背景技術】
【０００２】
妊婦はホルモンのバランスが変化し、腹部が突出し、骨盤の支持靱帯や結合組織が弛緩し、体幹が後傾し、骨盤がゆがんでくる。妊婦は、このような体型になると、通常の靴では履きにくくなる。
【０００３】
このような妊婦にとっても履きやすい靴が、たとえば特開平１１−１１３６０９号公報（特許文献１）に開示されている。
【０００４】
特許文献１に開示された靴においては、靴のヒール部分に、外側後端部と、内側後端部によって覆われる踵覆い部を設け、外側後端部には留め具と、その留め具掛けを有したバンドを設け、これが内側後端部に設けたバンド通しを通って、折り返されることで、ちょうど留め具で固定できる位置に来るようになっている。
【特許文献１】特開平１１−１１３６０９号公報（段落番号０００４）
【発明の開示】
【発明が解決しようとする課題】
【０００５】
従来の、妊婦にとっても履きやすい靴は、上記のように構成されていた。靴の脱ぎ履きの際に、ベルトを緩めたり、締めたりすることで、靴の着脱を容易にしていた。しかしながら、その靴底については、特に考慮されていなかった。
【０００６】
この発明は、上記のような課題に鑑みてなされたもので、妊婦にとって歩きやすい靴の靴底を提供することを目的とする。
【課題を解決するための手段】
【０００７】
この発明にかかる靴底は、靴底の中足骨アーチから足根部の横アーチに対応する部分に設けられた第１補強帯部と、第１補強帯部に対して間隔を開けて、中足骨アーチからつま先側に設けられた第２補強帯部とを含み、第１および第２補強帯部は踵側からつま先側へ延びる。
【０００８】
靴底には中足骨アーチを挟んで、踵側からつま先側へ延びる第１補強帯部と第２補強帯部とが設けられるため、靴底が横方向に捻れることなく、第１補強帯部から第２補強帯部に沿った重心移動が容易になる。
【０００９】
その結果、妊婦にとって歩きやすい靴の靴底を提供できる。
【００１０】
好ましくは、第１補強帯部は靴の内側面から外側面に向けて延在し、第２補強帯部は靴の外側面から内側面に向けて延在する。
【００１１】
さらに好ましくは、第１補強帯部は第２補強帯部に対して、靴の外側に設けられる。
【００１２】
この発明の一実施の形態によれば、靴底は第２補強帯部が設けられる先端部と、踵部と、先端部と踵との間に設けられた中央部とを含み、中央部の第１補強帯部の外側は、他の部分よりも滑りにくい材質で形成される。
【００１３】
なお、靴底には、中足骨アーチに沿った溝が設けられていてもよいし、靴底の足の載置部には、中足骨アーチに沿った溝が設けられていてもよい。
【００１４】
また、靴底の踵側の高さは、つま先側の高さより２０ｍｍ高いのが好ましい。
【発明を実施するための最良の形態】
【００１５】
以下、この発明の一実施の形態を図面を参照して説明する。図１は、この発明の一実施形態にかかる靴底を妊婦用靴に適用した場合の靴５０の全体構成を示す側面図である。図１を参照して、妊婦用の靴５０は、靴底１０と、靴底１０の上に設けられたアッパー部５１とを含む。靴底１０は平坦ではなく、つま先は、平面（図中斜線で示す）より高い位置に存在する。つま先部の高さをａとし、踵部の高さをｂとすると、妊婦用の靴底１０は、ａ＝約１０ｍｍ、ｂ＝約３０ｍｍであり、その差は２０ｍｍ程度あるのが好ましい。
【００１６】
これは、一般に妊婦は、重心が後ろになるので、踵側に対して、２０ｍｍ程度、前側が低くなるようにするのが、歩行上好ましいためである。
【００１７】
次に、靴底１０の詳細について説明する。図２（Ａ）は妊婦用靴（左足用）の靴底１０を示す平面図であり図２（Ｂ）、図２（Ｃ）はそれぞれ、図２（Ａ）において、Ｂ-ＢおよびＣ-Ｃで示す矢視図である。
【００１８】
図２を参照して、妊婦用靴の靴底１０は、靴底部１１と、靴底部１１に連続して設けられた、内側、および外側の側壁部２１ａ、２１ｂと、靴底部１１の反対側に設けられて、足を載置するための載置部２２とを含む。ここで、内側とは、足の親指が存在する側をいい、外側とは、その反対側をいう。
【００１９】
靴底部１１は、先端部１２と、先端部１２から順に踵側に設けられた、足の中足骨アーチが位置する中足骨部１３と、中央部１４と、踵部１５とが設けられている。中央部１４と踵部１５との間には、段差部１６が設けられている。
【００２０】
また、中足骨部１３は、先端部１２および中央部１４よりも、約１〜２ｍｍ低くなっている（図２においてｔ＝約１〜２ｍｍである）。すなわち、靴底面は、基本的に中足骨部１３が設けられている面であり、この上に、ゴムが先端部１２、中央部１４および踵部１５に貼り付けられている。
【００２１】
次に中足骨アーチについて説明する。図３は、足の骨解剖図である。足の骨は、大きく分けて３つの領域、すなわち指節骨（足趾骨）の領域Ｂと、中足骨の領域Ｃと、足根骨の領域Ｄとからなる。足前方の中足骨アーチ３０は、いわゆる足の甲のアーチであり、真のアーチではなく、負荷をかけることにより変化する。妊婦の場合、歩行時に、自重により中足骨アーチ３０はつぶれる。足根部の横アーチ３１は、自重によるアーチの変化はない。
【００２２】
中足骨部１３は、中足骨アーチ３０に沿った、靴底の外側の中央部から内側の親指の足の付け根に至る所定の幅を有する曲線状に形成されており、その中に２本の曲線状の溝１３ａ、１３ｂが設けられており、妊婦が歩行時に中足骨アーチ３０で容易に足を折り曲げ可能に構成されている。
【００２３】
靴底１０の中足骨アーチ３０から足根部の横アーチ３１に対応する部分のほぼ中央部には、靴底１０の踵側からつま先側に沿って、第１補強帯部１７が設けられている。第１補強帯部１７は、靴の内側面から外側面に向けて、すなわち、踵部１５上部のほぼ中央から、やや外側にずれた直線状に形成されている。また、中足骨アーチ３０から先端部１２にも、第１補強帯部１７に対して、靴底１０の内側にずれた位置に、第１補強帯部１７とほぼ同じ形状の第２補強帯部１８が設けられている。第２補強帯部１８の向きは第１補強帯部１７とは逆方向に、すなわち、靴の外側面から内側面に延びている。
【００２４】
これらの第１および第２補強帯部１７，１８は、少なくとも、周囲の、先端部１２、中足骨部１３、中央部１４および踵部１５と同等以上の硬さを有したゴムで形成されている。これらの補強帯部１７，１８は、まずこれらの帯部を収容可能な溝を形成し、その溝内に、周囲に溝部を残して帯部を貼り付けてもよい。この場合も、帯部の面は、周囲の先端部１２や中央部１４等と同じ高さである。
【００２５】
この第１および第２補強帯部１７，１８は妊婦がこの線に沿って、重心の体重移動をし易いように設けられている。すなわち、妊婦は、この第１および第２補強帯部１７，１８を利用して、この線に沿って重心移動を行なうことができる。
【００２６】
ここで、第１補強帯部１７と第２補強帯部１８とは相互に連続することなく、中足骨部１３を挟んで設けられている。このような構成としたのは、もしこれらの第１および第２補強帯部１７，１８を連続して設けると、これらの帯部１７，１８に沿って、靴底１０がこれらの帯部１７，１８を中心として横方向に捻れるためである。
【００２７】
次に靴底１１の構成の詳細について説明する。靴底１１は、中足骨部１３のつま先側で、第２補強帯部１８が設けられる先端部１２と、踵部１５と、先端部と踵部との間に設けられた中央部１４とを含む。先端部１２は、第２補強帯部１８によって、外側先端部１２ａと、内側先端部１２ｂとに分かれている。外側先端部１２ａと、内側先端部１２ｂとは同じ材質のゴムで形成されているが、図２に示すようにその模様は異なっており、外側先端部１２ａは波形であり、内側先端部１２ｂは丸形突起状である。
【００２８】
踵部１５も先端部と同じ材質のゴムで構成されており、その模様は、内側先端部１２ｂと同じである。また、中央部１４の第１補強帯部１７の内側も同じ材質のゴムで構成されている。なお、踵部１５は、衝撃を吸収可能な材質で構成されている。
【００２９】
中央部１４の第１補強帯部１７の外側１４ｃ，１４ｅは、先端部１２や踵部１５等の他の部分より滑りにくい、滑り止めゴムで構成されているのが好ましい。このような材質であれば、比較的柔らかく、雨天や、水仕事中においても滑らない。
【００３０】
このように、靴底の中央部１４の第１補強帯部１７の外側を先端部１２や踵部１５に比べて滑りにくいゴムで形成したため、妊婦の歩行時には、まず踵部１５で着地するときには、滑るように滑らかに着地し、中央部１４の外側でしっかり止まることができ、かつ、つま先から滑らかに次のステップを進めることができる。
【００３１】
次に、中央部１４について説明する。中央部１４は、その内側に設けられた、円形状の土踏まず部１４ａと、土踏まず部１４ａと中足骨部１３との間に設けられた内側第１中央部１４ｂと、土踏まず部１４ａと踵部１５との間に設けられた内側第２中央部１４ｄと、内側第１中央部１４ｂおよび内側第２中央部１４ｄに対して、第１補強帯部１７を挟んで外側に設けられた第１外側中央部１４ｃおよび第２外側中央部１４ｅとを含む。
【００３２】
内側第１中央部１４ｂおよび外側第１中央部１４ｃとは、土踏まず部１４ａから足の小指方向、すなわち、図２において右上方向に延びる複数の斜めの直線状の模様を有し、内側第２中央部１４ｄおよび外側第２中央部１４ｅとは、内側第１中央部１４ｂおよび外側第１中央部１４ｃとは直交する方向に延びる複数の直線状の模様を有している。
【００３３】
このように、靴底の中央部１４において、土踏まず部１４ａのつま先側と踵側とで相互に直交するようなパターンとしたため、より歩行し易くなる。
【００３４】
なお、ここでは、外側第１中央部１４ｃと外側第２中央部１４ｅとは、相互に直交するパターンとしたが、これに限らず、この部分をともに、山形（Ｖ字状）のパターンとしてもよい。この状態を図４に示す。このようにすれば、一つのパターンで上記した直交するパターンと同様のすべり止め効果が得られる。また、この山形パターンは、外側第１および第２中央部１４ｃ，１４ｅの双方でなく、外側第２中央部１４ｅのみをこのパターンとしてもよい。
【００３５】
次に第１および第２補強帯部１７，１８と妊婦の歩行時の重心移動との関係について説明する。図５は、妊婦が載置部２２に足を置いたときの、妊婦の足の裏を示している。図中矢印で示すのは、歩行時の体重移動の軌跡である。妊婦の歩行時の重心移動に注目すると、最初に踵で接地し、重心が足の外側に移動して、第５中足骨骨頭部より第１中足骨骨頭部に移行し、母趾（第１指）の先端より抜けていく。
【００３６】
したがって、第１および第２補強帯部１７，１８の形状も、この重心移動が生じるように歩行時の体重移動に沿った形状が好ましい。そうすれば、足の幅方向へも重心移動が生じ、安定感が得られる。
【００３７】
次に靴底１０の足の載置部２２について説明する。図６（Ａ）は、靴底１０の足の載置部２２を示す平面図であり、図６（Ｂ）は、図２（Ａ）において、ＶＢ-ＶＢで示す部分の断面図であり、図６（Ｃ）は、図６（Ａ）において、矢印Ｃ−Ｃで示す部分の断面図である。
【００３８】
図６（Ａ）を参照して、靴底１０の足の載置部２２には、図３に示した中足骨アーチ３０に沿って設けられた、３本の平行な溝２５ａ〜２５ｃが設けられている。この３本の溝２５ａ〜２５ｃによって、妊婦の歩行時に中足骨アーチ３０で妊婦は先端部１２を容易に曲げることができ、容易に重心移動が可能になる。
【００３９】
また、図６（Ｃ）に示すように、足の載置部２２の周囲には、立上がり部２４が設けられている。これによって、妊婦は足を載置部２２の上で位置決めが容易になる。
【００４０】
次に、靴底１０の断面について説明する。図６（Ｂ）を参照して、靴底の底面の先端部１２、中央部１４および踵部１５にはそれぞれ、上記したゴムが貼り付けられている。これによって、靴底１０の底面は、滑ることなく、歩行し易いように構成されている。
【００４１】
なお、上記実施の形態においては、図２に示すように、靴底の中央部１４と踵部１５との境界部に直線状の段差部１６を設けた例について説明したが、これに限らず、中央部１４と踵部１５との境界部を円弧状としてもよい。そのような靴底の形状を図７に示す。なお、ここでは、中足骨部の下部のみを示している。
【００４２】
図７に示すように、この実施の形態においては、内側第２中央部１４ｆおよび外側第２中央部１４ｇとは、踵部１５との間に段差を有することなく、円弧状の境界線で区切られている。
【００４３】
また、この境界部は、図７において点線で示すように、Ｖ字状としてもよい。
【００４４】
なお、図４に示したように、外側第１および第２中央部１４ｃ，１４ｇを同一の山形パターンとしてもよい。
【００４５】
また、踵部１５は、歩行時において最初に地面に当接する場所であるため、摩耗が早い。そこで、この部分のパターンが摩耗したときは、靴底を交換する時期である。したがって、踵部１５は靴底の摩耗度を示す目安となる。
【００４６】
上記実施の形態においては、この発明の一実施の形態に係る靴底を妊婦用の靴に適用した場合について説明したが、これに限らず、子供用の靴の靴底に適用してもよい。
【００４７】
なお、上記実施の形態においては、左足用の妊婦用靴について説明したが、右足用も同様である。
【００４８】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４９】
この発明にかかる、靴底は、踵側からつま先側へ延びる補強帯部に沿った重心移動が容易に行えるため、重心移動の容易な靴底として有利に利用される。
【図面の簡単な説明】
【００５０】
【図１】この発明の一実施の形態にかかる靴底を妊婦用靴に適用した場合の靴の側面図である。
【図２】靴底の平面図および側面図である。
【図３】足の骨の解剖図である。
【図４】靴底の中央部の外側のパターンを示す図である。
【図５】妊婦の足の裏における、歩行時の体重移動の軌跡を示す図である。
【図６】靴底の足の載置部および断面図を示す図である。
【図７】靴底の他の例を示す平面図である。
【符号の説明】
【００５１】
１０  靴底、１１  靴底部、１２  先端部、１３  中足骨部、１４  中央部、１５  踵部、１６  段差部、１７  第１補強帯部、１８  第２補強帯部、２１ａ、２１ｂ  側壁部、２２  載置部、３０  中足骨アーチ。
【図１】
2007044427.tif 000003
【図２】
2007044427.tif 000004
【図３】
2007044427.tif 000005
【図４】
2007044427.tif 000006
【図５】
2007044427.tif 000007
【図６】
2007044427.tif 000008
【図７】
2007044427.tif 000009